(57)【要約】【課題】画像読取装置全体のサイズが嵩張るのを抑制しながら、供給トレイの紛失及び破損を抑制することができる画像読取装置を提供する。【解決手段】供給口２８及び排出口３０を有する筐体２６と、筐体２６の内部に設けられ、且つ、供給口２８から供給された原稿４を排出口３０に向けて搬送する搬送ローラ３２と、筐体２６に移動可能に取り付けられ、且つ、供給口２８に供給される原稿４を載置するための供給トレイ３６と、排出口３０から排出された原稿４を載置するための排出トレイ３４と、を備え、供給トレイ３６は、筐体２６に取り付けられた状態で、供給口２８から筐体２６の外部に延びるように配置される第１の状態と、排出トレイ３４上に載置される第２の状態との間を移動可能である。【選択図】図５
2015154178.tif 000002
【特許請求の範囲】
【請求項１】
原稿に形成された画像を読み取る画像読取装置であって、
供給口及び排出口を有する筐体と、
前記筐体の内部に設けられ、且つ、前記供給口から供給された前記原稿を前記排出口に向けて搬送する搬送部と、
前記筐体に移動可能に取り付けられ、且つ、前記供給口に供給される前記原稿を載置するための供給トレイと、
前記排出口から排出された前記原稿を載置するための排出トレイと、を備え、
前記供給トレイは、前記筐体に取り付けられた状態で、前記供給口から前記筐体の外部に延びるように配置される第１の状態と、前記排出トレイ上に載置される第２の状態との間を移動可能である
画像読取装置。
【請求項２】
前記排出トレイ上には凹部が設けられており、
前記供給トレイは、前記第２の状態に移動した際に前記凹部に収納されることにより、前記排出トレイ上に載置される
請求項１に記載の画像読取装置。
【請求項３】
さらに、前記供給トレイと前記筐体との間に介在されるヒンジ部を備え、
前記ヒンジ部の一方の端部は前記供給トレイに回転可能に支持され、且つ、前記ヒンジ部の他方の端部は前記筐体に回転可能に支持されている
請求項１又は２に記載の画像読取装置。
【請求項４】
前記供給トレイは、前記筐体に向けて延び、且つ、前記筐体に回転可能に支持されたアーム部を有している
請求項１又は２に記載の画像読取装置。
【請求項５】
さらに、前記供給トレイを前記第１の状態に付勢する付勢部材を備える
請求項１〜４のいずれか１項に記載の画像読取装置。
【請求項６】
さらに、前記供給トレイを前記第２の状態に保持する保持機構を備える
請求項１〜５のいずれか１項に記載の画像読取装置。
【請求項７】
前記供給口は、前記排出口の上側に隣接して配置されており、
前記排出トレイは、前記排出口から前記筐体の外部に延びるように配置され、
前記供給トレイは、前記排出トレイの上面に対向して配置されている
請求項１〜６のいずれか１項に記載の画像読取装置。
【請求項８】
前記排出トレイは、前記排出口から前記筐体の外部に略水平方向に延びるように配置されており、
前記供給トレイは、前記第１の状態に移動した際に、前記排出トレイに対して傾斜して配置される
請求項７に記載の画像読取装置。
【発明の詳細な説明】
【技術分野】
【０００１】
本発明は、原稿に形成された画像を読み取るための画像読取装置に関する。
【背景技術】
【０００２】
例えばフラットベッド型のカラーイメージスキャナ装置等のように、原稿に形成された画像を読み取るための画像読取装置が知られている。この画像読取装置には、複数枚の原稿が積み重ねられた原稿の束から原稿を１枚ずつ自動的に搬送するための自動原稿搬送装置（ＡＤＦ：Ａｕｔｏ  Ｄｏｃｕｍｅｎｔ  Ｆｅｅｄｅｒ）が設けられている（例えば、特許文献１参照）。
【０００３】
自動原稿搬送装置の筐体には、原稿を筐体の内部に供給するための供給口と、原稿を筐体の外部に排出するための排出口とが設けられている。筐体の内部には、原稿を供給口から排出口に向けて搬送する搬送ローラ等が配置されている。
【０００４】
供給口には、供給口に供給される原稿を載置するための供給トレイが着脱自在に取り付けられている。排出口には、排出口から排出された原稿を載置するための排出トレイが固定されている。例えば画像読取装置を梱包する場合や、画像読取装置を使用せずにラック等に保管しておく場合等には、画像読取装置全体のサイズが嵩張るのを抑制するために、供給トレイを供給口から取り外すことができる。
【先行技術文献】
【特許文献】
【０００５】
【特許文献１】特開２００８−１７７６９９号公報
【発明の概要】
【発明が解決しようとする課題】
【０００６】
しかしながら、上述した従来の画像読取装置では、供給トレイが供給口に対して着脱自在に取り付けられることに起因して、次のような課題が生じる。ユーザは、例えば供給口から取り外した供給トレイを画像読取装置の保管場所とは別の場所に保管した場合等には、供給トレイを紛失してしまうおそれがある。さらに、ユーザが供給トレイを供給口に対して多数回着脱することにより、供給トレイと供給口とが嵌合される嵌合部が摩耗等により破損するおそれがある。
【０００７】
本発明は、上述した課題を解決しようとするものであり、その目的は、画像読取装置全体のサイズが嵩張るのを抑制しながら、供給トレイの紛失及び破損を抑制することができる画像読取装置を提供することである。
【課題を解決するための手段】
【０００８】
上記目的を達成するために、本発明の一態様に係る画像読取装置は、原稿に形成された画像を読み取る画像読取装置であって、供給口及び排出口を有する筐体と、前記筐体の内部に設けられ、且つ、前記供給口から供給された前記原稿を前記排出口に向けて搬送する搬送部と、前記筐体に移動可能に取り付けられ、且つ、前記供給口に供給される前記原稿を載置するための供給トレイと、前記排出口から排出された前記原稿を載置するための排出トレイと、を備え、前記供給トレイは、前記筐体に取り付けられた状態で、前記供給口から前記筐体の外部に延びるように配置される第１の状態と、前記排出トレイ上に載置される第２の状態との間を移動可能である。
【０００９】
本態様によれば、供給トレイは、筐体に取り付けられた状態で、第１の状態と第２の状態との間を移動可能であるので、例えば画像読取装置を使用せずに保管しておく場合等には、供給トレイを第２の状態に移動させることができる。これにより、供給トレイが供給口から取り外されることなく排出トレイ上に載置されるので、画像読取装置全体のサイズが嵩張るのを抑制しながら、供給トレイの紛失を抑制することができる。さらに、供給トレイを供給口に対して着脱することがないので、供給トレイの破損を抑制することができる。
【００１０】
例えば、本発明の一態様に係る画像読取装置において、前記排出トレイ上には凹部が設けられており、前記供給トレイは、前記第２の状態に移動した際に前記凹部に収納されることにより、前記排出トレイ上に載置されるように構成してもよい。
【００１１】
本態様によれば、供給トレイは、第２の状態に移動した際に排出トレイ上の凹部に収納されるので、画像読取装置全体のサイズが嵩張るのをより効果的に抑制することができる。
【００１２】
例えば、本発明の一態様に係る画像読取装置において、さらに、前記供給トレイと前記筐体との間に介在されるヒンジ部を備え、前記ヒンジ部の一方の端部は前記供給トレイに回転可能に支持され、且つ、前記ヒンジ部の他方の端部は前記筐体に回転可能に支持されているように構成してもよい。
【００１３】
本態様によれば、供給トレイを、ヒンジ部を介して筐体に移動可能に取り付けることができる。
【００１４】
例えば、本発明の一態様に係る画像読取装置において、前記供給トレイは、前記筐体に向けて延び、且つ、前記筐体に回転可能に支持されたアーム部を有しているように構成してもよい。
【００１５】
本態様によれば、供給トレイを筐体に回転可能に取り付けることができる。
【００１６】
例えば、本発明の一態様に係る画像読取装置において、さらに、前記供給トレイを前記第１の状態に付勢する付勢部材を備えるように構成してもよい。
【００１７】
本態様によれば、供給トレイが付勢部材により第１の状態に付勢されるので、ユーザが供給トレイに力を加え続けなくても供給トレイを第１の状態に移動させることができ、利便性を高めることができる。
【００１８】
例えば、本発明の一態様に係る画像読取装置において、さらに、前記供給トレイを前記第２の状態に保持する保持機構を備えるように構成してもよい。
【００１９】
本態様によれば、供給トレイが保持機構により第２の状態に保持されるので、供給トレイが不意に第２の状態から第１の状態に向けて移動するのを抑制することができる。
【００２０】
例えば、本発明の一態様に係る画像読取装置において、前記供給口は、前記排出口の上側に隣接して配置されており、前記排出トレイは、前記排出口から前記筐体の外部に延びるように配置され、前記供給トレイは、前記排出トレイの上面に対向して配置されているように構成してもよい。
【００２１】
本態様によれば、供給トレイを排出トレイの上面に対向して配置することができる。
【００２２】
例えば、本発明の一態様に係る画像読取装置において、前記排出トレイは、前記排出口から前記筐体の外部に略水平方向に延びるように配置されており、前記供給トレイは、前記第１の状態に移動した際に、前記排出トレイに対して傾斜して配置されるように構成してもよい。
【００２３】
本態様によれば、供給トレイは、第１の状態に移動した際に排出トレイに対して傾斜して配置されるので、原稿を供給トレイ上に容易に載置することができる。
【発明の効果】
【００２４】
本発明の一態様に係る画像読取装置によれば、画像読取装置全体のサイズが嵩張るのを抑制しながら、供給トレイの紛失及び破損を抑制することができる。
【図面の簡単な説明】
【００２５】
【図１】実施の形態１に係る画像読取装置の外観を示す斜視図である。
【図２】カバー部を開けた状態での画像読取装置の外観を示す斜視図である。
【図３】供給トレイが第１の状態に移動した状態での、自動原稿搬送装置を示す斜視図である。
【図４】供給トレイの図示を省略した状態での、自動原稿搬送装置を示す斜視図である。
【図５】供給トレイが第２の状態に移動した状態での、自動原稿搬送装置を示す斜視図である。
【図６】図３中のＡ−Ａ線により切断した自動原稿搬送装置の要部断面図である。
【図７】図５中のＢ−Ｂ線により切断した自動原稿搬送装置の要部断面図である。
【図８】供給トレイが第１の状態に移動した状態での、ヒンジ部を拡大して示す要部斜視図である。
【図９】供給トレイが第２の状態に移動した状態での、ヒンジ部を拡大して示す要部斜視図である。
【図１０】供給トレイが第２の状態に移動した状態での、実施の形態２に係る画像読取装置の自動原稿搬送装置を示す斜視図である。
【図１１】供給トレイが第１の状態に移動した状態での、実施の形態２に係る画像読取装置の自動原稿搬送装置を示す斜視図である。
【発明を実施するための形態】
【００２６】
以下、本発明の実施の形態について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態等は、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００２７】
（実施の形態１）
［画像読取装置の全体構成］
まず、図１及び図２を参照しながら、実施の形態１に係る画像読取装置２の全体構成について説明する。図１は、実施の形態１に係る画像読取装置の外観を示す斜視図である。図２は、カバー部を開けた状態での画像読取装置の外観を示す斜視図である。
【００２８】
図１に示すように、画像読取装置２は、例えば、原稿４に形成されたカラーの画像４ａを読み取ることが可能なフラットベッド型のカラーイメージスキャナ装置である。画像読取装置２は、装置本体部６及びカバー部８を備えている。
【００２９】
装置本体部６は箱体状に構成されている。図２に示すように、装置本体部６の内部には、キャリッジ１０に搭載されたラインイメージセンサ１２等が配置されている。キャリッジ１０は、装置本体部６の内部を所定の方向（Ｘ軸方向）に往復移動可能である。装置本体部６の上面には、第１のプラテンガラス１４及び第２のプラテンガラス１６が設けられている。第１のプラテンガラス１４及び第２のプラテンガラス１６はそれぞれ、透明なガラス板で構成されている。装置本体部６の前面には、画像読取装置２の操作（例えば、電源のオン・オフ又は読み取りの開始等）を実行するための操作パネル１８が設けられている。
【００３０】
カバー部８は、回転軸部２０を介して装置本体部６の上面に取り付けられている。カバー部８は、回転軸部２０を中心に、第１のプラテンガラス１４及び第２のプラテンガラス１６を覆う閉位置（図１参照）と、第１のプラテンガラス１４及び第２のプラテンガラス１６を開放する開位置（図２参照）との間を回転可能である。カバー部８には、原稿４を自動的に搬送するための自動原稿搬送装置（ＡＤＦ）２２が設けられている。自動原稿搬送装置２２の構成については後述する。なお、図２に示すように、カバー部８の下面における第２のプラテンガラス１６に対応する部位には、開口部２４が設けられている。この開口部２４は、自動原稿搬送装置２２により搬送された原稿４が第２のプラテンガラス１６上を通過できるようにするためのものである。
【００３１】
上述した画像読取装置２では、画像４ａを読み取る読取モードとして、第１の読取モード及び第２の読取モードのいずれかに切り替え可能である。第１の読取モードでは、原稿４が第１のプラテンガラス１４上に載置された状態で、キャリッジ１０が上記所定の方向に往復移動することにより、画像４ａが読み取られる。一方、第２の読取モードでは、キャリッジ１０が第２のプラテンガラス１６に対応する位置に停止した状態で、原稿４が自動原稿搬送装置２２によって第２のプラテンガラス１６上を通過するように搬送されることにより、画像４ａが読み取られる。
【００３２】
［自動原稿搬送装置の構成］
次に、図３〜図９を参照しながら、上述した自動原稿搬送装置２２の構成について説明する。図３は、供給トレイが第１の状態に移動した状態での、自動原稿搬送装置を示す斜視図である。図４は、供給トレイの図示を省略した状態での、自動原稿搬送装置を示す斜視図である。図５は、供給トレイが第２の状態に移動した状態での、自動原稿搬送装置を示す斜視図である。図６は、図３中のＡ−Ａ線により切断した自動原稿搬送装置の要部断面図である。図７は、図５中のＢ−Ｂ線により切断した自動原稿搬送装置の要部断面図である。図８は、供給トレイが第１の状態に移動した状態での、ヒンジ部を拡大して示す要部斜視図である。図９は、供給トレイが第２の状態に移動した状態での、ヒンジ部を拡大して示す要部斜視図である。なお、説明の都合上、図３〜図９では、装置本体部６の図示を省略している。
【００３３】
図３に示すように、自動原稿搬送装置２２は、筐体２６を有している。筐体２６は、例えばカバー部８のＸ軸方向における端部に配置されている。図４〜図７に示すように、筐体２６の側面には、供給口２８及び排出口３０が上下に（Ｚ軸方向に）隣接して配置されている。供給口２８及び排出口３０はそれぞれ、横長に延びる略矩形状の開口部である。供給口２８は、排出口３０の上側に隣接して配置されている。
【００３４】
図３に示すように、筐体２６の内部には、原稿４を供給口２８から第２のプラテンガラス１６上を経由して排出口３０に向けて搬送するための複数の搬送ローラ３２（搬送部を構成する）が配置されている。複数の搬送ローラ３２の各々は、筐体２６の内部に配置されたモータ（図示せず）によって駆動される。なお、図３では、複数の搬送ローラ３２のうち一部のみを図示している。
【００３５】
自動原稿搬送装置２２は、さらに、排出トレイ３４及び供給トレイ３６を有している。図４に示すように、排出トレイ３４は、略矩形状のプレート状に構成されており、排出口３０から筐体２６の外部に向けて略水平方向に（Ｘ軸方向に）延びている。なお、筐体２６及び排出トレイ３４は、例えば樹脂により一体的に成形されている。排出トレイ３４の上面には、略矩形状の凹部３８が設けられている。この凹部３８は、後述するように供給トレイ３６を収納するためのものであり、供給トレイ３６を収容可能な大きさ及び深さを有している。排出トレイ３４の側面には、略円形状の保持用凹部３９（保持機構を構成する）が設けられている。さらに、排出トレイ３４の中央部には、略矩形状の貫通孔４０が設けられている。排出トレイ３４に貫通孔４０を設けることによって、排出トレイ３４の体積を貫通孔４０の容積の分だけ低減させることができ、排出トレイ３４の材料コストを低減することができる。
【００３６】
図３及び図５に示すように、供給トレイ３６は、略矩形状のプレート状に構成されており、一対のヒンジ部４２を介して筐体２６に移動可能に取り付けられている。なお、一対のヒンジ部４２は、供給トレイ３６の下流側端部３６ａ（すなわち、原稿４が搬送される方向における下流側の端部）におけるＹ軸方向の両端部に対応して配置されている。図８及び図９に示すように、ヒンジ部４２の一方の端部４２ａは、供給トレイ３６に回転可能に支持され、ヒンジ部４２の他方の端部４２ｂは、筐体２６に回転可能に支持されている。図８及び図９に示すように、各ヒンジ部４２の他方の端部４２ｂには、トーションバネ４４（付勢部材を構成する）が配置されている。供給トレイ３６の上面におけるＹ軸方向の両端部にはそれぞれ、原稿４のエッジをガイドするためのガイド部４６が設けられている。ガイド部４６は、供給トレイ３６の下流側端部３６ａから上流側端部３６ｂ（すなわち、下流側端部３６ａと反対側の端部）に向けて直線状に延びている。供給トレイ３６の側面における上述した保持用凹部３９に対応する部位には、略水平方向に突出する略半球状の保持用突部４８（保持機構を構成する）が設けられている。
【００３７】
供給トレイ３６は、一対のヒンジ部４２の各々が他方の端部４２ｂを中心に回転することによって、筐体２６に取り付けられた状態で、第１の状態（図３及び図６参照）と第２の状態（図５及び図７参照）との間を移動可能である。なお、供給トレイ３６は、第１の状態と第２の状態との間を移動する間、排出トレイ３４の上面に対向して配置されている。
【００３８】
供給トレイ３６は、第１の状態に移動した際には、図８に示すように一対のヒンジ部４２の各々が立ち上がることにより、供給口２８から筐体２６の外部に向けて略水平方向（Ｘ軸方向）に延びるように配置される。このとき、図６に示すように、供給トレイ３６の下流側端部３６ａが供給口２８の周縁部２８ａ（略矩形状の周縁部のうちＹ軸方向に延びる部分）に接触し、且つ、図８に示すように、下流側端部３６ａにおけるＹ軸方向の両端部にそれぞれ設けられた切り欠き部４９がヒンジ部４２の一方の端部４２ａに接触するので、供給トレイ３６が第１の状態に保持される。なお、供給トレイ３６は、上述したトーションバネ４４の弾性復元力によって、第１の状態に付勢されている。
【００３９】
一方、供給トレイ３６は、第２の状態に移動した際には、図９に示すように一対のヒンジ部４２の各々が横に倒れることにより、排出口３０から筐体２６の外部に向けて略水平方向（Ｘ軸方向）に延びるように配置される。このとき、供給トレイ３６は、排出トレイ３４の凹部３８に収納されている（すなわち、排出トレイ３４上に載置されている）。なお、供給トレイ３６は、上述した保持用突部４８が保持用凹部３９に嵌まり込むことにより、第２の状態に保持される。
【００４０】
［供給トレイの使用方法］
次に、図１、図３及び図５〜図７を参照しながら、上述した供給トレイ３６の使用方法について説明する。上述した第２の読取モードで画像４ａを読み取る際には、ユーザは、図１に示すように、第１の状態に保持された供給トレイ３６上に例えば複数枚の原稿４を積み重ねた状態で載置する。この状態で、ユーザが操作パネル１８を操作することにより、図６中の矢印Ｐで示すように、供給トレイ３６上の原稿４が１枚ずつ複数の搬送ローラ３２によって供給口２８から筐体２６の内部に搬送される。筐体２６の内部に搬送された原稿４は、第２のプラテンガラス１６上を通過した後に、図６中の矢印Ｑで示すように、排出口３０から筐体２６の外部に排出される。筐体２６の外部に排出された原稿４は、排出トレイ３４上に載置される。
【００４１】
例えば画像読取装置２を使用せずに保管する場合等には、ユーザは、供給トレイ３６を手動で第１の状態から第２の状態に移動させる。このとき、供給トレイ３６は、排出トレイ３４の凹部３８に収納され、第２の状態に保持される。
【００４２】
なお、例えば画像読取装置２を再び使用する場合には、ユーザは、供給トレイ３６の上流側端部３６ｂに指等を引っ掛けて持ち上げることにより、保持用突部４８が保持用凹部３９から外れるようになる。これにより、供給トレイ３６の第２の状態での保持が解除されるので、供給トレイ３６は、トーションバネ４４の弾性復元力によって、第２の状態から第１の状態に移動する。
【００４３】
［効果］
次に、本実施の形態の画像読取装置２により得られる効果について説明する。上述したように、供給トレイ３６は、筐体２６に取り付けられた状態で、第１の状態と第２の状態との間を移動可能である。これにより、例えば画像読取装置２を梱包する場合や、画像読取装置２を使用せずにラック等に保管しておく場合等には、供給トレイ３６を第２の状態に移動させることができる。その結果、供給トレイ３６が供給口２８から取り外されることなく排出トレイ３４上の凹部３８に収納されるので、画像読取装置２全体のサイズが嵩張るのを抑制しながら、供給トレイ３６の紛失を抑制することができる。さらに、供給トレイ３６を供給口２８に対して着脱することがないので、供給トレイ３６の破損を抑制することができる。
【００４４】
（実施の形態２）
次に、図１０及び図１１を参照しながら、実施の形態２に係る画像読取装置の自動原稿搬送装置２２Ａの構成について説明する。図１０は、供給トレイが第２の状態に移動した状態での、実施の形態２に係る画像読取装置の自動原稿搬送装置を示す斜視図である。図１１は、供給トレイが第１の状態に移動した状態での、実施の形態２に係る画像読取装置の自動原稿搬送装置を示す斜視図である。本実施の形態では、上記実施の形態１と同一の構成要素には同一の符号を付して、その説明を省略する。なお、説明の都合上、図１０及び図１１では、上記実施の形態１で説明した装置本体部６の図示を省略している。
【００４５】
図１０及び図１１に示すように、本実施の形態の画像読取装置のカバー部８Ａに設けられた自動原稿搬送装置２２Ａでは、供給トレイ３６Ａの下流側端部３６ａにおけるＹ軸方向の両端部には、筐体２６に向けて延びる一対のアーム部５０が設けられている。一対のアーム部５０の各々は、回転軸部５２を介して筐体２６に回転可能に支持されている。回転軸部５２には、トーションバネ４４（付勢部材を構成する）が配置されている。なお、一対のガイド部４６Ａの各々の端部は、供給トレイ３６Ａの下流側端部３６ａから筐体２６側に突出している。
【００４６】
供給トレイ３６Ａは、回転軸部５２を中心に、筐体２６に取り付けられた状態で、第１の状態（図１１参照）と第２の状態（図１０参照）との間を回転可能である。
【００４７】
供給トレイ３６Ａは、第１の状態に移動した際には、供給口２８から筐体２６の外部に向けて、排出トレイ３４に対して傾斜して延びるように配置される。このとき、図１１に示すように、一対のガイド部４６Ａの各々が供給口２８の周縁部２８ｂ（略矩形状の周縁部のうちＺ軸方向に延びる部分）に接触するので、供給トレイ３６Ａが第１の状態に保持される。供給トレイ３６Ａは、上述したトーションバネ４４の弾性復元力によって、第１の状態に付勢されている。なお、供給トレイ３６Ａの下流側端部３６ａと供給口２８の周縁部２８ａとの間には隙間が形成されていてもよい。
【００４８】
一方、供給トレイ３６Ａは、第２の状態に移動した際には、排出口３０から筐体２６の外部に向けて略水平方向（Ｘ軸方向）に延びるように配置される。このとき、供給トレイ３６Ａは、排出トレイ３４の凹部３８に収納される（すなわち、排出トレイ３４上に載置される）。なお、供給トレイ３６Ａは、保持用突部４８が保持用凹部３９に嵌まり込むことにより、第２の状態に保持される。
【００４９】
本実施の形態では、上記実施の形態１で説明した効果に加えて、次のような効果を得ることができる。上述したように、供給トレイ３６Ａは、第１の状態に移動した際に排出トレイ３４に対して傾斜して延びるように配置されるので、原稿４を供給トレイ３６Ａ上に容易に載置することができる。
【００５０】
なお、図示しないが、供給トレイ３６Ａを第１の状態に保持するための保持機構を設けてもよい。この保持機構は、例えば、供給口２８の周縁部２８ａに設けられた保持用突部と、供給トレイ３６Ａの下流側端部３６ａに設けられた保持用凹部とで構成される。保持用突部が保持用凹部に嵌まり込むことによって、供給トレイ３６Ａが第１の状態に保持される。
【００５１】
（変形例）
以上、本発明の実施の形態１及び２に係る画像読取装置について説明したが、本発明は、上記実施の形態に限定されるものではない。例えば、上記各実施の形態を組み合わせてもよい。
【００５２】
上記各実施の形態では、画像読取装置２をカラーイメージスキャナ装置で構成したが、これに限定されず、例えば複合機、コピー機又はファクシミリ等で構成してもよい。
【００５３】
上記各実施の形態では、保持機構として、供給トレイ３６（３６Ａ）に保持用突部４８を設け、排出トレイ３４に保持用凹部３９を設けたが、これとは反対に、供給トレイ３６（３６Ａ）に保持用凹部を設け、排出トレイ３４に保持用突部を設けてもよい。
【００５４】
上記各実施の形態では、保持機構を保持用突部４８及び保持用凹部３９で構成したが、これに限定されず、例えばフック部及び凹部で構成してもよい。この場合、フック部は排出トレイ３４に設けられ、凹部は供給トレイ３６（３６Ａ）に設けられる。フック部は、その先端部が凹部に引っ掛かる保持位置と、その先端部が凹部から離れる解除位置との間を移動可能である。フック部が保持位置にあるときには、供給トレイ３６（３６Ａ）が第２の状態に保持される。この状態で、ユーザがフック部を所定の方向に指で押すことにより、フック部が保持位置から解除位置に移動し、供給トレイ３６（３６Ａ）の第２の状態での保持が解除される。
【００５５】
上記各実施の形態では、トーションバネ４４と保持用凹部３９及び保持用突部４８とをともに設けたが、トーションバネ４４を省略し、保持用凹部３９及び保持用突部４８のみを設けてもよい。
【００５６】
上記実施の形態１では、供給トレイ３６は、第１の状態に移動した際に、排出トレイ３４と略平行に配置されたが、例えば切り欠き部４９の形状を変更することにより、上記実施の形態２と同様に、供給トレイ３６が第１の状態に移動した際に排出トレイ３４に対して傾斜して配置されるようにしてもよい。
【産業上の利用可能性】
【００５７】
本発明の画像読取装置は、例えば、原稿に形成されたカラー画像を読み取ることができるカラーイメージスキャナ装置等として適用することができる。
【符号の説明】
【００５８】
２  画像読取装置
４  原稿
４ａ  画像
６  装置本体部
８，８Ａ  カバー部
１０  キャリッジ
１２  ラインイメージセンサ
１４  第１のプラテンガラス
１６  第２のプラテンガラス
１８  操作パネル
２０，５２  回転軸部
２２，２２Ａ  自動原稿搬送装置
２４  開口部
２６  筐体
２８  供給口
２８ａ，２８ｂ  周縁部
３０  排出口
３２  搬送ローラ
３４  排出トレイ
３６，３６Ａ  供給トレイ
３６ａ  下流側端部
３６ｂ  上流側端部
３８  凹部
３９  保持用凹部
４０  貫通孔
４２  ヒンジ部
４２ａ，４２ｂ  端部
４４  トーションバネ
４６  ガイド部
４８  保持用突部
４９  切り欠き部
５０  アーム部
【図１】
2015154178.tif 000003
【図２】
2015154178.tif 000004
【図３】
2015154178.tif 000005
【図４】
2015154178.tif 000006
【図５】
2015154178.tif 000007
【図６】
2015154178.tif 000008
【図７】
2015154178.tif 000009
【図８】
2015154178.tif 000010
【図９】
2015154178.tif 000011
【図１０】
2015154178.tif 000012
【図１１】
2015154178.tif 000013